(57)【要約】【課題】コイルを収容したハウジング部の内部に冷媒を供給してもハウジング部の変形が抑えられるリニアモータを提供する。【解決手段】リニアモータ４０は、空芯部７１を有するコイル７０と、コイル７０を収容するハウジング部６０と、コイル７０の空芯部７１に配置され、コイル７０を空芯部７１で支持する支持部７２と、支持部７２に設けられ、ハウジング部６０の内壁６８と接する少なくとも１つの凸部７４とを備えている。【選択図】　　　　図５
2004015908.tif 000002
【特許請求の範囲】
【請求項１】
空芯部を有するコイルと、前記コイルを収容するハウジング部とを備えたリニアモータにおいて、
前記コイルの空芯部に配置され、該コイルを前記空芯部で支持する支持部と、
前記支持部に設けられ、前記ハウジング部の内壁と接する少なくとも１つの凸部とを備えたことを特徴とするリニアモータ。
【請求項２】
前記ハウジング部と前記凸部とを固定する固定部材を有することを特徴とする請求項１記載のリニアモータ。
【請求項３】
前記固定部材は、前記凸部と熱伝導率の異なる材料からなることを特徴とする請求項２記載のリニアモータ。
【請求項４】
前記固定部材は、前記凸部より熱伝導率が低い材料からなることを特徴とする請求項２記載のリニアモータ。
【請求項５】
前記固定部材は、非導電性且つ非磁性材料からなることを特徴とする請求項２〜４のいずれか一項記載のリニアモータ。
【請求項６】
前記ハウジング部は、枠部材と、該枠部材を両側から挟む複数の板部材とを有し、
前記固定部材は、前記板部材と前記凸部とを固定するねじであることを特徴とする請求項２〜５のいずれか一項記載のリニアモータ。
【請求項７】
前記凸部は前記支持部の材質と異なる材質で構成され、該材質は前記支持部の材質よりも熱伝導率の低い材質であることを特徴とする請求項１〜６のいずれか一項記載のリニアモータ。
【請求項８】
前記凸部は、前記板部材と対面する前記支持部の両側にそれぞれ複数箇所設けられていることを特徴とする請求項６記載のリニアモータ。
【請求項９】
前記コイルに設けられている前記凸部の数は、該リニアモータが発生する推力に応じて決定されることを特徴とする請求項１〜８のいずれか一項記載のリニアモータ。
【請求項１０】
前記コイルに設けられている前記凸部の数は、前記板部材の面積に応じて決定されることを特徴とする請求項８記載のリニアモータ。
【請求項１１】
複数の前記コイルが配列されたリニアモータにおいて、
複数の前記コイルのそれぞれに設けられる前記凸部の数は、前記コイルが配列された位置に応じて異なることを特徴とする請求項１〜１０のいずれかに記載のリニアモータ。
【請求項１２】
磁石を有し前記ハウジング部を挟んで設けられたヨーク部を備え、
前記ハウジング部のうち、少なくとも前記磁石と対向する部分は非導電性且つ非磁性材料からなることを特徴とする請求項１〜１１のいずれか一項記載のリニアモータ。
【請求項１３】
前記支持部及び凸部は、非導電性且つ非磁性材料からなることを特徴とする請求項１〜１２のいずれか一項記載のリニアモータ。
【請求項１４】
駆動装置を備えたステージ装置において、
前記駆動装置に、請求項１〜請求項１３のいずれか一項記載のリニアモータが用いられていることを特徴とするステージ装置。
【請求項１５】
可動部を駆動する駆動装置を備えたステージ装置において、前記駆動装置は、前記可動部を第１の方向に駆動する第１駆動部と、前記第１の方向と直交する第２の方向に駆動する第２駆動部とを有し、
前記第１駆動部と前記第２駆動部とのいずれにも請求項１〜請求項１３のいずれか一項記載のリニアモータが用いられ、
前記第１駆動部に用いられる前記リニアモータと、前記第２駆動部に用いられる前記リニアモータとは、前記コイル１つ当たりに設けられた前記凸部の数が互いに異なるリニアモータであることを特徴とするステージ装置。
【請求項１６】
マスクを支持するマスクステージと、基板を支持する基板ステージとを備えた露光装置において、
前記マスクステージ及び前記基板ステージのうち少なくともいずれか一方に、請求項１４又は請求項１５記載のステージ装置が用いられていることを特徴とする露光装置。
【発明の詳細な説明】
【０００１】
【発明の属する技術分野】
本発明は、リニアモータ、ステージ装置及び露光装置に関するものである。
【０００２】
【従来の技術】
半導体素子や液晶表示素子等のマイクロデバイスはマスク上に形成されたパターンを基板（感光基板）上に転写するいわゆるフォトリソグラフィの手法により製造される。このフォトリソグラフィ工程で使用される露光装置は、マスクを支持して２次元移動するマスクステージと基板を支持して２次元移動する基板ステージとを有し、マスク上に形成されたパターンをマスクステージ及び基板ステージを逐次移動しながら投影光学系を介して基板に転写するものである。露光装置としては、基板上にマスクのパターン全体を同時に転写する一括型露光装置と、マスクステージと基板ステージとを同期走査しつつマスクのパターンを連続的に基板上に転写する走査型露光装置との２種類が主に知られている。いずれの露光装置においてもマスクと基板との相対位置を高精度に一致させてマスクパターンの転写を行うことが要求されるため、マスクステージ及び基板ステージの位置決め精度は露光装置の最も重要な性能の一つである。
【０００３】
従来より、上記基板ステージ及びマスクステージ（以下、両者を総称してステージという）の駆動源としてリニアモータが用いられているが、リニアモータからの発熱はステージ位置決め精度に影響を及ぼす。例えば、リニアモータからの発熱が周囲の部材を変形させたり、光干渉式測長計の光路上における空気温度を変化させて測定値に誤差を生じさせる。したがって、リニアモータからの発熱が周囲に伝わるのを防ぐために、リニアモータのコイルをハウジング（ジャケット）に収容し、このハウジング内部に冷媒を供給する従来技術がある。
【０００４】
【発明が解決しようとする課題】
しかしながら、上述した従来のリニアモータには以下に述べる問題が生じるようになった。
ステージの高性能化に伴いリニアモータの高出力化が要求されるが、高出力化のためにはコイルに流す電流を大きくする必要があり、これに伴ってコイルからの発熱量が大きくなる。したがって、ハウジング表面の温度上昇を抑えるためにハウジング内部に供給する冷媒供給量（単位時間当たりの供給量）を多くする必要が生じる。しかしながら、冷媒供給量を多くするとハウジング内部の圧力が上昇してハウジングが変形し、他の部材と接触したり磁束密度に影響を及ぼしたりするといった不都合が生じるようになった。
【０００５】
本発明はこのような事情に鑑みてなされたもので、コイルを収容するハウジングを有するリニアモータにおいて、ハウジング内部に冷媒を供給してもハウジングの変形が抑えられるとともに、ハウジング表面の温度上昇を抑えることができるリニアモータ、このリニアモータを備えたステージ装置及び露光装置を提供することを目的とする。
【０００６】
【課題を解決するための手段】
上記の課題を解決するため本発明は、実施の形態に示す図１〜図１１に対応付けした以下の構成を採用している。
本発明のリニアモータ（２０、３０、４０）は、空芯部（７１）を有するコイル（７０）と、コイル（７０）を収容するハウジング部（６０）とを備えたリニアモータにおいて、コイル（７０）の空芯部（７１）に配置され、コイル（７０）を空芯部（７１）で支持する支持部（７２）と、支持部（７２）に設けられ、ハウジング部（６０）の内壁（６８）と接する少なくとも１つの凸部（７４）とを備えたことを特徴とする。
【０００７】
本発明によれば、コイルを支持する支持部に、ハウジング部の内壁と接する凸部を設けたことにより、この凸部がハウジング部の補強部材となり、ハウジング部内部に多くの冷媒を供給してもハウジング部の変形を抑えることができる。また、この支持部をコイルの空芯部に設け、空芯部でコイルを支持するようにしたので、コイルは位置決めされ、リニアモータの動作は安定化する。
【０００８】
また、本発明のリニアモータは、ハウジング部と凸部とを固定する固定部材（７５）を有するものとすることができる。これによれば、ハウジング部と凸部とが固定部材によって固定されるので、ハウジング部内部に冷媒を供給した場合でもハウジング部の変形を抑えることができる。
【０００９】
その固定部材は凸部と熱伝統率の異なる材料で構成することができ、更に凸部より熱伝導率の低い材料で構成することもできる。これによれば、コイルが発生する熱をハウジング部に伝えにくくすることができる。また、その固定部材は非導電性且つ非磁性材料で構成することが好ましい。
【００１０】
また、本発明のリニアモータは、ハウジング部が枠部材（６１）と、該枠部材を両側から挟む複数の板部材（６２）とを有し、その固定部材は、板部材と凸部とを固定するねじ（７５）であることを特徴とする。これによれば、固定部材がねじであるのでハウジング部の外部から比較的容易に板部材と凸部とを固定することができる。
【００１１】
また、凸部は、支持部の材質と異なる材質で構成され、該材質は支持部の材質よりも熱伝統率の低い材質とすることができる。これによれば、コイルの発生する熱が凸部を介してハウジング部に伝わるのを抑えることができる。
【００１２】
また、凸部は、板部材と対面する支持部の両側にそれぞれ複数箇所設けることができる。そのコイルに設けられる凸部の数は、リニアモータが発生する推力に応じて、又は板部材の面積に応じて決定することができる。これによりリニアモータの仕様及び構成に応じて最適な数の凸部を設けることができる。
【００１３】
また、複数のコイルが配列されたリニアモータにおいて、複数のコイルのそれぞれに設けられる凸部の数は、そのコイルが配列された位置に応じて異なるように構成することができる。これによれば、配列されたコイルの位置によってハウジング部の変形量が異なる場合にも、複数のコイルのそれぞれについて最適な数の凸部を設け、ハウジング部の変形を効果的に抑えることができる。
【００１４】
また、本発明のリニアモータは、磁石（９１）を有しハウジング部を挟んで設けられたヨーク部（９０）を備え、ハウジング部のうち少なくともその磁石と対向する部分は非導電性且つ非磁性材料からなることを特徴とする。これによれば、ハウジング部が磁束中を移動しても渦電流の発生を抑制することができ、リニアモータ駆動時の粘性抵抗を低く抑えることができる。
【００１５】
また、支持部及び凸部は、非導電性且つ非磁性材料からなることを特徴とする。これによれば、支持部及び凸部が磁束中を移動しても渦電流の発生を抑制することができ、リニアモータ駆動時の粘性抵抗を低く抑えることができる。
【００１６】
本発明のステージ装置（１、２）は、駆動装置を備えたステージ装置において、駆動装置に、上記記載のリニアモータ（２０、３０、４０）が用いられていることを特徴とする。
【００１７】
また、本発明のステージ装置は、可動部（ＰＳＴ）を駆動する駆動装置を備えたステージ装置（２）において、その駆動装置は可動部を第１の方向（Ｘ）に駆動する第１駆動部（４０）と、第１の方向と直交する第２の方向（Ｙ）に駆動する第２駆動部（３０）とを有し、その第１駆動部とその第２駆動部とのいずれにも上記記載のリニアモータが用いられているとともに、第１駆動部に用いられるリニアモータと、第２駆動部に用いられるリニアモータとは、コイル１つあたりに設けられた凸部の数が互いに異なるリニアモータである。これによれば、第１駆動部と第２駆動部とでハウジング部の変形量が異なる場合であっても、最適な数の凸部をコイルに設けることができ、それぞれの駆動部のハウジング部の変形を効果的に抑えることができる。
【００１８】
また、本発明の露光装置（ＥＸ）は、マスク（Ｍ）を支持するマスクステージ（ＭＳＴ、１）と、基板（Ｐ）を支持する基板ステージ（ＰＳＴ、２）とを備えた露光装置において、マスクステージ（ＭＳＴ、１）及び基板ステージ（ＰＳＴ、２）のうち少なくともいずれか一方に、上記記載のステージ装置が用いられていることを特徴とする。
【００１９】
本発明によれば、ハウジング部の変形を抑えつつリニアモータからの発熱の周囲への伝達を抑えることができるので、高い位置決め精度を有するステージ装置が提供される。
【００２０】
【発明の実施の形態】
以下、本発明のリニアモータ、ステージ装置及び露光装置について図面を参照しながら説明する。図１は本発明のステージ装置を備えた露光装置の一実施形態を示す概略構成図である。ここで、本実施形態における露光装置ＥＸは、マスクＭと感光基板Ｐとを同期移動しつつマスクＭに設けられているパターンを投影光学系ＰＬを介して感光基板Ｐ上に転写する所謂スキャニングステッパである。以下の説明において、投影光学系ＰＬの光軸ＡＸと一致する方向をＺ軸方向、Ｚ軸方向に垂直な平面内における前記同期移動方向（第２の方向、走査方向）をＹ軸方向、Ｚ軸方向及びＹ軸方向と垂直な方向（第１の方向、非走査方向）をＸ軸方向とする。更に、Ｘ軸まわり、Ｙ軸まわり、及びＺ軸まわりの回転方向をそれぞれθＸ方向、θＹ方向、及びθＺ方向とする。また、ここでいう「感光基板」は半導体ウエハ上にレジストが塗布されたものを含み、「マスク」は感光基板上に縮小投影されるデバイスパターンが形成されたレチクルを含む。
【００２１】
図１において、露光装置ＥＸは、マスクＭを保持して移動するマスクステージＭＳＴ及びこのマスクステージＭＳＴを支持するマスク定盤３を有するステージ装置１と、光源を有し、マスクステージＭＳＴに支持されているマスクＭを露光光で照明する照明光学系ＩＬと、感光基板Ｐを保持して移動する基板ステージＰＳＴ及びこの基板ステージＰＳＴを支持する基板定盤４を有するステージ装置２と、露光光ＥＬで照明されたマスクＭのパターン像を基板ステージＰＳＴに支持されている感光基板Ｐに投影する投影光学系ＰＬと、ステージ装置１及び投影光学系ＰＬを支持するリアクションフレーム５と、露光装置ＥＸの動作を統括制御する制御装置ＣＯＮＴとを備えている。リアクションフレーム５は床面に水平に載置されたベースプレート６上に設置されており、このリアクションフレーム５の上部側及び下部側には内側に向けて突出する段部５ａ及び５ｂがそれぞれ形成されている。
【００２２】
照明光学系ＩＬはリアクションフレーム５の上面に固定された支持コラム７により支持される。照明光学系ＩＬより射出される露光光ＥＬとしては、例えば水銀ランプから射出される紫外域の輝線（ｇ線、ｈ線、ｉ線）及びＫｒＦエキシマレーザ光（波長２４８ｎｍ）等の遠紫外光（ＤＵＶ光）や、ＡｒＦエキシマレーザ光（波長１９３ｎｍ）及びＦ２レーザ光（波長１５７ｎｍ）等の真空紫外光（ＶＵＶ光）などが用いられる。
【００２３】
ステージ装置１のうちマスク定盤３は各コーナーにおいてリアクションフレーム５の段部５ａに防振ユニット８を介してほぼ水平に支持されており、その中央部にマスクＭのパターン像が通過する開口３ａを備えている。マスクステージＭＳＴはマスク定盤３上に設けられており、その中央部にマスク定盤３の開口３ａと連通しマスクＭのパターン像が通過する開口Ｋを備えている。マスクステージＭＳＴの底面には非接触ベアリングである複数のエアベアリング９が設けられており、マスクステージＭＳＴはエアベアリング９によりマスク定盤３に対して所定のクリアランスを介して浮上支持されている。
【００２４】
図２はマスクステージＭＳＴを有するステージ装置１の概略斜視図である。
図２に示すように、ステージ装置１（マスクステージＭＳＴ）は、マスク定盤３上に設けられたマスク粗動ステージ１６と、マスク粗動ステージ１６上に設けられたマスク微動ステージ１８と、マスク定盤３上において粗動ステージ１６をＹ軸方向に所定ストロークで移動可能な一対のＹリニアモータ（リニアモータ、駆動装置）２０、２０と、マスク定盤３の中央部の上部突出部３ｂの上面に設けられ、Ｙ軸方向に移動する粗動ステージ１６を案内する一対のＹガイド部２４、２４と、粗動ステージ１６上において微動ステージ１８をＸ軸、Ｙ軸、及びθＺ方向に微小移動可能な一対のＸボイスコイルモータ１７Ｘ及び一対のＹボイスコイルモータ１７Ｙとを備えている。なお、図１では、粗動ステージ１６及び微動ステージ１８を簡略化して１つのステージとして図示している。
【００２５】
Ｙリニアモータ２０のそれぞれは、マスク定盤３上においてＹ軸方向に延びるように設けられたコイルユニット（電機子ユニット）からなる一対の固定子２１と、この固定子２１に対応して設けられ、連結部材２３を介して粗動ステージ１６に固定された磁石ユニットからなる可動子２２とを備えている。そして、これら固定子２１及び可動子２２によりムービングマグネット型のリニアモータ２０が構成されており、可動子２２が固定子２１との間の電磁気的相互作用により駆動することで粗動ステージ１６（マスクステージＭＳＴ）がＹ軸方向に移動する。固定子２１のそれぞれは非接触ベアリングである複数のエアベアリング１９によりマスク定盤３に対して浮上支持されている。このため、運動量保存の法則により粗動ステージ１６の＋Ｙ方向の移動に応じて固定子２１が−Ｙ方向に移動する。この固定子２１の移動により粗動ステージ１６の移動に伴う反力が相殺されるとともに重心位置の変化を防ぐことができる。なお、固定子２１は、マスク定盤３に変えてリアクションフレーム５に設けられてもよい。固定子２１をリアクションフレーム５に設ける場合にはエアベアリング１９を省略し、固定子２１をリアクションフレーム５に固定して粗動ステージ１６の移動により固定子２１に作用する反力をリアクションフレーム５を介して床に逃がしてもよい。
【００２６】
Ｙガイド部２４のそれぞれは、Ｙ軸方向に移動する粗動ステージ１６を案内するものであって、マスク定盤３の中央部に形成された上部突出部３ｂの上面においてＹ軸方向に延びるように固定されている。また、粗動ステージ１６とＹガイド部２４、２４との間には非接触ベアリングである不図示のエアベアリングが設けられており、粗動ステージ１６はＹガイド部２４に対して非接触で支持されている。
【００２７】
微動ステージ１８は不図示のバキュームチャックを介してマスクＭを吸着保持する。微動ステージ１８の＋Ｙ方向の端部にはコーナーキューブからなる一対のＹ移動鏡２５ａ、２５ｂが固定され、微動ステージ１８の−Ｘ方向の端部にはＹ軸方向に延びる平面ミラーからなるＸ移動鏡２６が固定されている。そして、これら移動鏡２５ａ、２５ｂ、２６に対して測長ビームを照射する３つのレーザ干渉計（いずれも不図示）が各移動鏡との距離を計測することにより、マスクステージＭＳＴのＸ軸、Ｙ軸、及びθＺ方向の位置が高精度で検出される。制御装置ＣＯＮＴはこれらレーザ干渉計の検出結果に基づいて、Ｙリニアモータ２０、Ｘボイスコイルモータ１７Ｘ、及びＹボイスコイルモータ１７Ｙを含む各モータを駆動し、微動ステージ１８に支持されているマスクＭ（マスクステージＭＳＴ）の位置制御を行う。
【００２８】
図１に戻って、開口Ｋ及び開口３ａを通過したマスクＭのパターン像は投影光学系ＰＬに入射する。投影光学系ＰＬは複数の光学素子により構成され、これら光学素子は鏡筒で支持されている。投影光学系ＰＬは、例えば１／４又は１／５の投影倍率を有する縮小系である。なお、投影光学系ＰＬとしては等倍系あるいは拡大系のいずれでもよい。投影光学系ＰＬの鏡筒の外周にはこの鏡筒に一体化されたフランジ部１０が設けられている。そして、投影光学系ＰＬはリアクションフレーム５の段部５ｂに防振ユニット１１を介してほぼ水平に支持された鏡筒定盤１２にフランジ部１０を係合している。
【００２９】
ステージ装置２は、基板ステージ（可動部）ＰＳＴと、基板ステージＰＳＴをＸＹ平面に沿った２次元方向に移動可能に支持する基板定盤４と、基板ステージＰＳＴをＸ軸方向に案内しつつ移動自在に支持するＸガイドステージ３５と、Ｘガイドステージ３５に設けられ、基板ステージＰＳＴをＸ軸方向に移動可能なＸリニアモータ（リニアモータ、駆動装置、第１駆動部）４０と、Ｘガイドステージ３５をＹ軸方向に移動可能な一対のＹリニアモータ（リニアモータ、駆動装置、第２駆動部）３０、３０とを有している。基板ステージＰＳＴは感光基板Ｐを真空吸着保持する基板ホルダＰＨを有しており、感光基板Ｐは基板ホルダＰＨを介して基板ステージＰＳＴに支持される。また、基板ステージＰＳＴの底面には非接触ベアリングである複数のエアベアリング３７が設けられており、これらエアベアリング３７により基板ステージＰＳＴは基板定盤４に対して非接触で支持されている。また、基板定盤４はベースプレート６の上方に防振ユニット１３を介してほぼ水平に支持されている。
【００３０】
Ｘガイドステージ３５の＋Ｘ側には、Ｘトリムモータ３４の可動子３４ａが取り付けられている。また、Ｘトリムモータ３４の固定子３４ｂはリアクションフレーム５に設けられている。このため、基板ステージＰＳＴをＸ軸方向に駆動する際の反力は、Ｘトリムモータ３４及びリアクションフレーム５を介してベースプレート６に伝達される。
【００３１】
図３は基板ステージＰＳＴを有するステージ装置２の概略斜視図である。
図３に示すように、ステージ装置２は、Ｘ軸方向に沿った長尺形状を有するＸガイドステージ３５と、Ｘガイドステージ３５で案内しつつ基板ステージ（可動部）ＰＳＴをＸ軸方向（第１の方向）に所定ストロークで移動可能なＸリニアモータ（第１駆動部）４０と、Ｘガイドステージ３５の長手方向両端に設けられ、このＸガイドステージ３５を基板ステージＰＳＴとともにＹ軸方向（第２の方向）に移動可能な一対のＹリニアモータ（第２駆動部）３０、３０とを備えている。
【００３２】
Ｘリニアモータ４０は、Ｘガイドステージ３５にＸ軸方向に延びるように設けられたコイルユニットからなる固定子４１と、この固定子４１に対応して設けられ、基板ステージＰＳＴに固定された磁石ユニットからなる可動子４２とを備えている。これら固定子４１及び可動子４２によりムービングマグネット型のリニアモータ４０が構成されており、可動子４２が固定子４１との間の電磁気的相互作用により駆動することで基板ステージＰＳＴがＸ軸方向に移動する。ここで、基板ステージＰＳＴはＸガイドステージ３５に対してＺ軸方向に所定量のギャップを維持する磁石及びアクチュエータからなる磁気ガイドにより非接触で支持されている。基板ステージＰＳＴはＸガイドステージ３５に非接触支持された状態でＸリニアモータ４０によりＸ軸方向に移動する。
【００３３】
Ｙリニアモータ３０のそれぞれは、Ｘガイドステージ３５の長手方向両端に設けられた磁石ユニットからなる可動子３２と、この可動子３２に対応して設けられコイルユニットからなる固定子３１とを備えている。ここで、固定子３１、３１はベースプレート６に突設された支持部３６、３６（図１参照）に設けられている。なお、図１では固定子３１及び可動子３２は簡略化して図示されている。これら固定子３１及び可動子３２によりムービングマグネット型のリニアモータ３０が構成されており、可動子３２が固定子３１との間の電磁気的相互作用により駆動することでＸガイドステージ３５がＹ軸方向に移動する。また、Ｙリニアモータ３０、３０のそれぞれの駆動を調整することでＸガイドステージ３５はθＺ方向にも回転移動可能となっている。したがって、このＹリニアモータ３０、３０により基板ステージＰＳＴがＸガイドステージ３５とほぼ一体的にＹ軸方向及びθＺ方向に移動可能となっている。
【００３４】
図１に戻って、基板ステージＰＳＴの−Ｘ側の側縁にはＹ軸方向に沿って延設されたＸ移動鏡５１が設けられ、Ｘ移動鏡５１に対向する位置にはレーザ干渉計５０が設けられている。レーザ干渉計５０はＸ移動鏡５１の反射面と投影光学系ＰＬの鏡筒下端に設けられた参照鏡５２とのそれぞれに向けてレーザ光（検出光）を照射するとともに、その反射光と入射光との干渉に基づいてＸ移動鏡５１と参照鏡５２との相対変位を計測することにより、基板ステージＰＳＴ、ひいては感光基板ＰのＸ軸方向における位置を所定の分解能でリアルタイムに検出する。同様に、基板ステージＰＳＴ上の＋Ｙ側の側縁にはＸ軸方向に沿って延設されたＹ移動鏡５３（図１には不図示、図３参照）が設けられ、Ｙ移動鏡５３に対向する位置にはＹレーザ干渉計（不図示）が設けられており、Ｙレーザ干渉計はＹ移動鏡５３の反射面と投影光学系ＰＬの鏡筒下端に設けられた参照鏡（不図示）とのそれぞれに向けてレーザ光を照射するとともに、その反射光と入射光との干渉に基づいてＹ移動鏡と参照鏡との相対変位を計測することにより、基板ステージＰＳＴ、ひいては感光基板ＰのＹ軸方向における位置を所定の分解能でリアルタイムに検出する。レーザ干渉計の検出結果は制御装置ＣＯＮＴに出力され、制御装置ＣＯＮＴはレーザ干渉計の検出結果に基づいてリニアモータ３０、４０を介して基板ステージＰＳＴの位置制御を行う。
【００３５】
次に、図４〜図６を参照しながらリニアモータ４０（２０、３０）について説明する。以下の説明では基板ステージＰＳＴに設けられたＸリニアモータ４０について説明するが、Ｙリニアモータ３０及びマスクステージＭＳＴに設けられたリニアモータ２０もほぼ同等の構成を有する。
【００３６】
図４はリニアモータ４０の概略斜視図である。
図４に示すように、リニアモータ４０は、Ｘ軸方向（所定方向）を長手方向とするコイルユニットからなる固定子４１と、磁石ユニットからなる可動子４２とを備えている。このうち固定子４１は、Ｘ軸方向（所定方向）に複数並んで配置されたコイル７０と、これらコイル７０を収容するハウジング部６０とを備えている。コイル７０には制御装置ＣＯＮＴにより電流量を制御された駆動用電流が流れる。一方、可動子４２は複数の磁石９１を有し、固定子４１のハウジング部６０を挟んで設けられたヨーク部９０を備えている。磁石９１のそれぞれは永久磁石であってヨーク部９０に所定方向（Ｘ軸方向）に複数並んで取り付けられており、異なる磁極の磁石が交互に並んで配置されている。更に、磁石９１はハウジング部６０（固定子４１）を挟んで異なる磁極どうしが互いに対向して配置されている。ここで、磁石９１の大きさ（Ｘ軸、Ｙ軸それぞれの方向における長さ）はコイル７０より小さく（コイル７０の大きさ以下に）設定されている。
【００３７】
ハウジング部６０は、平面視「口」状に形成され、コイル７０の厚みより厚く設けられた枠部材６１と、この枠部材６１を両側から挟む２つの板部材６２、６２とを備えている。枠部材６１と板部材６２とによって内部空間６７を有するハウジング部６０が形成され、この内部空間６７にコイル７０が収容される。
なお、本実施形態における板部材６２は枠部材６１の表裏両側のそれぞれに各１枚ずつ、計２枚設けられた構成であるが、枠部材６１の表裏両側あるいは片側に設ける板部材６２を２枚以上に分割した板部材（分割板部材）として構成し、全体として３枚以上の板部材６２としてもよい。
【００３８】
ハウジング部６０の形成材料としては、例えば、ポリカーボネート樹脂、ポリフェニレンサルファイド樹脂、ポリエーテルエーテルケトン樹脂、ポリプロピレン樹脂、ポリアセタール樹脂、ガラス繊維充填エポキシ樹脂、ガラス繊維強化熱硬化性プラスチック（ＧＦＲＰ）、炭素繊維強化熱硬化性プラスチック（ＣＦＲＰ）等の合成樹脂、またはセラミックス材料等の非導電性且つ非磁性材料、あるいはステンレス鋼やアルミニウム等の金属が挙げられる。また、これらの材料からなるシート状部材を形成し、このシート状部材を複数積層した積層体によりハウジング部６０を形成するようにしてもよい。合成樹脂により積層体を形成する場合には、例えば共押出加工法を用いることができる。ここで、ハウジング部６０のうち、少なくとも可動子４２の磁石９１と対向する部分は合成樹脂あるいはセラミックス材料などの非導電性且つ非磁性材料によって構成することが好ましい。具体的には、ハウジング部６０のうち磁石９１と対向する板部材６２は非導電性且つ非磁性材料によって構成されることが好ましい。こうすることにより、磁束密度が変化するなどのリニアモータの動作に与える影響を抑えることができる。ここで、板部材６２が複数の分割板部材からなる場合には、少なくとも磁石９１と対向する部分に配置される分割板部材を非導電性且つ非磁性材料とすることが好ましい。
【００３９】
また、ハウジング部６０は、コイル７０を収容する内部空間６７と連通し、この内部空間６７に対して所定の冷媒を入れる入口部６３と、内部空間６７と連通し、この内部空間６７の冷媒を外部に出す出口部６４とを備えている。入口部６３からハウジング部６０の内部空間６７に対して温度制御された冷媒を供給して流すことにより、コイル７０に通電した際に発生する熱が回収され、コイル自体の温度上昇やリニアモータが搭載されたステージ及び周囲の雰囲気の温度上昇が抑えられ、各装置、部材の変形が抑えられるとともに、レーザ干渉計の光路上におけるガス温度変化を抑えて測定値誤差が生じるのを抑えることができる。ここで、入口部６３はハウジング部６０の長手方向の一端部に設けられ、出口部６４はハウジング部６０の長手方向の他端部に設けられており、これにより、入口部６３からハウジング部６０内部に供給された冷媒は、Ｘ軸方向に並んで配置されたコイル７０の全てを通過して冷却した後、出口部６４から外部に排出される。なお、使用される冷媒としては液体又は気体であって特に不活性なものが好ましく、ハイドロフルオロエーテル（例えば「ノベックＨＦＥ」：住友スリーエム株式会社製）や、フッ素系不活性液体（例えば「フロリナート」：住友スリーエム株式会社製）などが挙げられる。一方、コイル７０の導線自体が冷媒に直接触れないようにコイル表面には表面処理が施されている。
【００４０】
図５は図４のＡ−Ａ断面矢視図であり、図６はコイル７０近傍の拡大斜視図である。なお、図６には固定子４１のうち一方の板部材６２が取り外された状態が図示されている。図５及び図６に示すように、コイル７０は空芯部７１を有しており、空芯部７１にはこのコイル７０を支持する支持部７２が配置されている。支持部７２はコイル７０と接しており、コイル７０を空芯部７１で支持する。本実施形態において、空芯部７１及びこの空芯部７１に配置されている支持部７２は、図６に示すようにＹ軸方向を長手方向とする平面視略長方形状に設定されている。
【００４１】
支持部７２のうち、板部材６２、６２のそれぞれと対面する両側には、板部材６２（ハウジング部６０）の内壁６８側に向かって突出する複数の凸部７４がそれぞれ設けられている。本実施形態において、凸部７４は支持部７２の片面にＹ軸方向に並ぶように２箇所ずつ、両側で合計４箇所に設けられている。そして、図５に示すように、凸部７４のそれぞれは板部材６２（ハウジング部６０）の内壁６８に接している。ここで、図６に示すように、凸部７４のそれぞれは平面視略円形状に形成されており、凸部７４の板部材６２に接する接触面７３は平坦面となっている。したがって、凸部７４は略円形状の接触面（平坦面）７３をハウジング部６０（板部材６２）の内壁６８に密接しつつこのハウジング部６０を支持する。
【００４２】
支持部７２及び凸部７４は、熱伝導率が０．４Ｗ／（ｍ・Ｋ）程度の非導電性且つ非磁性材料であるガラス繊維充填エポキシ樹脂で形成されている。これにより支持部７２及び凸部７４が磁束中を移動しても、コギング力や粘性抵抗（渦電流損）の発生を抑えることができる。支持部７２及び凸部７４の形成材料としては、その他にポリカーボネート樹脂、ポリフェニレンサルファイド樹脂、ポリエーテルエーテルケトン樹脂、ポリプロピレン樹脂、ポリアセタール樹脂、ガラス繊維強化熱硬化性プラスチック（ＧＦＲＰ）、炭素繊維強化熱硬化性プラスチック（ＣＦＲＰ）等の合成樹脂、又はセラミックス材料等の非導電性且つ非磁性材料、あるいはステンレス鋼やアルミニウム等の非磁性の金属材料を用いることもできる。また、これらの材料からなるシート状部材を形成し、このシート状部材を積層した積層体により支持部７２や凸部７４を形成するようにしてもよい。
【００４３】
凸部７４それぞれの平面視中央部には雌ねじ穴７４ａが形成されている。また、板部材６２には凸部７４の雌ねじ穴７４ａに対応する穴部６２ａが形成されている。そして、雌ねじ穴７４ａのそれぞれには穴部６２ａを介してねじ７５が螺合されている。板部材６２（ハウジング部６０）と凸部７４とはねじ（固定部材）７５により固定されている。ねじ７５はハウジング部６０の外側からねじ込まれるようになっている。
【００４４】
ねじ７５と凸部７４とは異なる材質により構成されており、ねじ７５の材質は凸部７４の材質よりも熱伝導率が低い材質である。すなわち、ねじ７５の形成材料の熱伝導率は、凸部７４の形成材料の熱伝導率以下に設定されている。
具体的には、ねじ７５は、十分な強度と、支持部７２及び凸部７４の熱伝導率より更に低い熱伝導率（０．２〜０．３Ｗ／（ｍ・Ｋ）程度）とを有し、非導電性且つ非磁性材料であるガラス繊維強化ポリアミドＭＸＤ６樹脂（「レニー」：三菱エンジニアリングプラスチックス株式会社製）で形成されている。これによりねじ７５が磁束中を移動しても、コギング力や粘性抵抗（渦電流損）の発生を抑えることができるとともに、コイル７０の発する熱がねじ７５を通じてハウジング部６０の表面（板部材６２）に伝わりにくくなり、ハウジング部６０の表面の温度上昇を抑えることができる。ねじ７５の形成材料としては、その他にポリカーボネート樹脂、ポリフェニレンサルファイド樹脂、ポリエーテルエーテルケトン樹脂、ポリプロピレン樹脂、ポリアセタール樹脂、ガラス繊維強化熱硬化性プラスチック（ＧＦＲＰ）、炭素繊維強化熱硬化性プラスチック（ＣＦＲＰ）等の合成樹脂、又はセラミックス材料等の非導電性且つ非磁性材料、あるいはステンレス鋼やアルミニウム等の非磁性の金属材料を用いることもできる。
【００４５】
凸部７４のそれぞれにはこの凸部７４の側面に接するようにＯリングからなるシール部材７６が設けられている。このシール部材７６は支持部７２の表面及び板部材６２の内壁６８にも接している。なお、シール部材７６としては、Ｏリングに限らず、シール用接着剤などでもよい。また、枠部材６１と板部材６２との接続部にもＯリングやシール用接着剤からなるシール部材が設けられている。これらシール部材によりハウジング部６０の内部空間６７は密閉され、冷媒が漏れ出すことがなくなる。
【００４６】
支持部７２のうち板部材６２に対面する部分に設けた凸部７４により、板部材６２の内壁６８と支持部７２との間に冷媒が流れる流路（内部空間）６７が形成される。更に、コイル７０より大きい枠部材６１及び板部材６２でハウジング部６０を形成したことによりコイル７０と枠部材６１との間にも冷媒が流れる流路（内部空間）６７が形成され、コイル７０は支持部７２に支持されている以外の部分全てが冷媒に曝されることになるので、効果的に冷却される。
【００４７】
図７はリニアモータ４０の固定子４１が組み立てられる様子を示す図である。固定子４１を組み立てる際には、まず、支持部７２の周囲にコイル７０が巻きつけられる。あるいは、空芯部７１を有するコイル７０を形成した後、空芯部７１に支持部７２を配置するようにしてもよい。コイル７０と支持部７２とは接着剤等により固定される。次いで、一方の板部材６２に、支持部７２で支持した複数のコイル７０が並べて配置され、板部材６２と支持部７２の凸部７４とがねじ７５により固定される。ねじ７５は板部材６２の外側から板部材６２の穴部６２ａに挿入され、凸部７４の雌ねじ穴７４ａに螺合される。一方の板部材６２に複数のコイル７０が取り付けられたら、これら複数のコイル７０どうしの結線が行われる。次いで、コイル７０が取り付けられた板部材６２に枠部材６１が取り付けられる。そして、ねじなどの固定部材により枠部材６１と板部材６２とが固定される。ここで、枠部材６１と板部材６２とが固定される前に複数のコイル７０どうしの結線が行われるので、結線作業を円滑に行うことができる。そして、図７に示すように、もう一方の板部材６２が枠部材６１に対してねじ８０により固定されるとともに、このもう一方の板部材６２と凸部７４とがねじ７５により固定されることにより、固定子４１が形成される。
【００４８】
以上説明した構成を有するリニアモータ４０を駆動するに際し、制御装置ＣＯＮＴは、入口部６３からハウジング部６０の内部空間６７に対して温度調整した冷媒を供給しつつ、コイル７０に対して所定の電流量を有する駆動用電流を供給する。これにより、コイル７０自体の温度上昇及びコイル７０からの発熱の周囲への伝達を抑えつつ可動子４２を移動することができる。コイル７０からの発熱の周囲への伝達が抑えられるので、ステージ装置をはじめとする装置・部材の熱による変形が抑えられ、また、レーザ干渉計による測定値誤差の発生も抑えられる。
【００４９】
リニアモータ４０の推力を増大するためにコイル７０に通電する電流量を大きくした場合、これに伴ってコイル７０からの発熱量が増大するため、ハウジング部６０表面の温度上昇を抑えるために、制御装置ＣＯＮＴはハウジング部６０の内部空間６７に供給する冷媒供給量（単位時間当たりの供給量）を多くする。冷媒供給量を多くすることによりハウジング部６０内部の圧力が上昇するが、ハウジング部６０の内壁６８に接する凸部７４がハウジング部６０（板部材６２）の補強部材となって、ハウジング部６０の変形が抑えられる。したがって、ハウジング部６０の温度上昇を抑えつつコイル７０に通電する電流量を多く設定することができる。
【００５０】
ところで、図３に示すように、基板ステージ（可動部）ＰＳＴをＸ軸方向（第１の方向）に駆動するＸリニアモータ（第１駆動部）４０と、この基板ステージＰＳＴをＹ軸方向（第２の方向）に駆動するＹリニアモータ（第２駆動部）３０とは、コイル１つ当たりに設けられた凸部７４の数が互いに異なるリニアモータとなっている。すなわち、本実施形態において、図８（ａ）、（ｂ）に示すように、Ｘリニアモータ４０のコイル１つ当たりに設けられた凸部７４の数は２つずつ（両側合計４つずつ）であり、Ｙリニアモータ３０のコイル１つ当たりに設けられた凸部７４の数は３つずつ（両側合計６つずつ）である。これは、Ｙリニアモータ３０の固定子３１の板部材６２の面積（幅、大きさ）が、Ｘリニアモータ４０の固定子４１の板部材６２より大きく、Ｙリニアモータ３０の板部材６２のほうがＸリニアモータ４０の板部材６２より撓みやすいからであり、撓みやすいＹリニアモータ３０の板部材６２をより多くの凸部７４で支持することにより、冷媒供給量を多くしても、この板部材６２の変形を抑えることができる。このように、コイルに設ける凸部７４の数を板部材６２の面積（幅、大きさ）に応じて決定することにより、具体的には、大きい面積を有する板部材を多くの凸部７４で支持することにより、板部材６２（ハウジング部６０）の変形を抑えることができる。
【００５１】
あるいは、コイル７０に設ける凸部７４の数を、リニアモータが発生する推力に応じて決定するようにしてもよい。すなわち、大きい推力が必要とされるリニアモータには大きい電流量の電流が通電され、これに伴ってコイル７０からの発熱量も多くなるため、冷媒供給量をより多く設定する必要がある。この場合、コイル７０に設ける凸部７４の数を、例えば図９に示すように４つに設定して多くの凸部７４で板部材６２を支持することにより、板部材６２（ハウジング部６０）の変形を抑えることができる。
【００５２】
また、複数のコイル７０が配列されたリニアモータにおいて、図１０に示すように、コイル７０が配列された位置に応じて、コイル７０のそれぞれに設ける凸部７４の数を異なるように設定してもよい。図１０に示す例では、固定子４１の長手方向両端のコイル７０の凸部７４は２つずつ設けられ、中央のコイル７０の凸部７４は３つずつ設けられている。
【００５３】
以上説明したように、コイル７０を支持する支持部７２に、ハウジング部６０（板部材６２）の内壁６８と接する凸部７４を設けたことにより、この凸部７４がハウジング部６０（板部材６２）の補強部材となり、ハウジング部６０の内部空間６７に多くの冷媒を供給してもハウジング部６０（板部材６２）の変形を抑えることができる。そして、この凸部７４を板部材６２と対面する支持部７２の両側にそれぞれ複数箇所設けることにより、板部材６２を複数箇所で補強することができ、より一層板部材６２の変形を抑えることがえきる。したがって、ハウジング部６０の変形を抑えつつリニアモータからの発熱の周囲への伝達を抑えることができるので、ステージ装置は高い位置決め精度を維持できるとともに、露光装置ＥＸは精度良い露光処理を行うことができる。
【００５４】
なお、支持部７２上における凸部７４の数及び位置は、上記実施形態に限られず、適宜設定可能である。
【００５５】
なお、上記実施形態では、ハウジング部６０（板部材６２）と凸部７４とを固定するためにねじを用いたが、ハウジング部６０の内壁６８と凸部７４とを接着剤により固定してもよい。この場合、接着剤としては凸部７４の熱伝導率以下の材質により構成されていることが好ましい。また、ハウジング部６０と凸部７４とをいずれも金属材料で構成した場合、ハウジング部６０と凸部７４とを溶接により接合してもよい。
【００５６】
なお、上記実施形態では、支持部７２と凸部７４とは同じ材料により一体的に形成された構成としたが、支持部７２と凸部７４とは異なる材料により別部材として形成してもよい。この場合、凸部７４を形成する材料の熱伝導率は、支持部７２を形成する材料の熱伝導率よりも低く設定するのが好ましい。これにより、コイル７０の発する熱が支持部７２を伝わったとしても、凸部７４によってハウジング部６０に伝わるのを抑えることができる。
もちろん、支持部７２、凸部７４及びねじ７５を、熱伝導率が同程度且つ十分に低い（例えば０．４Ｗ／（ｍ・Ｋ）以下）同種あるいは異種の材料で形成しても構わない。
【００５７】
なお、上記実施形態では、支持部７２に複数の凸部７４が設けられ、これら凸部７４のそれぞれに雌ねじ穴７４ａが１つずつ形成されている構成であるが、１つの凸部７４に対して雌ねじ穴７４ａを複数設ける構成としてもよい。この場合、１つの凸部７４の平面視の大きさは上記実施形態のものより大型化する。ここで、凸部７４の１つの大きさが大型化すると、冷媒を流す内部空間６７の容積が小さくなり、冷却効果が低減するため、大きな凸部７４を１つ（あるいは複数）設けてこの凸部７４に複数の雌ねじ穴７４ａを形成し、ねじ７５で固定するよりも、小さな凸部７４を複数設けてこれら複数の凸部７４のそれぞれに雌ねじ穴７４ａを１つずつ形成し、ねじ７５で固定するほうが好ましい。
【００５８】
なお、本実施形態では、コイル側が固定子であり、磁石側が可動子である所謂ムービングマグネット型のリニアモータとなっているが、固定子側に磁石が設けられ、可動子側にコイルが設けられたムービングコイル型のリニアモータにも適用可能である。この場合、可動子であるコイルユニットがステージＰＳＴ、ＭＳＴに接続し、固定子である磁石ユニットがステージＰＳＴ、ＭＳＴの移動面側（ベース）に設けられる。
【００５９】
なお、上記実施形態の感光基板Ｐとしては、半導体デバイス用の半導体ウエハのみならず、液晶ディスプレイデバイス用のガラス基板や、薄膜磁気ヘッド用のセラミックウエハ、あるいは露光装置で用いられるマスクまたはレチクルの原版（合成石英、シリコンウエハ）等が適用される。
【００６０】
露光装置ＥＸとしては、マスクＭと感光基板Ｐとを同期移動してマスクＭのパターンを走査露光するステップ・アンド・スキャン方式の走査型露光装置の他に、マスクＭと基板Ｐとを静止した状態でマスクＭのパターンを露光し、感光基板Ｐを順次ステップ移動させるステップ・アンド・リピート方式の投影露光装置にも適用することができる。
【００６１】
露光装置ＥＸの種類としては、ウエハに半導体デバイスパターンを露光する半導体デバイス製造用の露光装置に限られず、角型のガラスプレートに液晶表示素子パターンを露光する液晶表示素子製造用の露光装置や、薄膜磁気ヘッド、撮像素子（ＣＣＤ）あるいはマスクなどを製造するための露光装置などにも広く適用できる。
【００６２】
また、露光用照明光の光源として、超高圧水銀ランプから発生する輝線（ｇ線（４３６ｎｍ）、ｈ線（４０４．７ｎｍ）、ｉ線（３６５ｎｍ））、ＫｒＦエキシマレーザ（２４８ｎｍ）、ＡｒＦエキシマレーザ（１９３ｎｍ）、Ｆ２レーザ（１５７ｎｍ）のみならず、Ｘ線や電子線などの荷電粒子線を用いることができる。例えば、電子線を用いる場合には電子銃として、熱電子放射型のランタンヘキサボライト（ＬａＢ６）、タンタル（Ｔａ）を用いることができる。さらに、電子線を用いる場合は、マスクＭを用いる構成としてもよいし、マスクＭを用いずに直接ウエハ上にパターンを形成する構成としてもよい。また、ＹＡＧレーザや半導体レーザ等の高周波などを用いてもよい。
【００６３】
投影光学系ＰＬとしては、エキシマレーザなどの遠紫外線を用いる場合は硝材として石英や蛍石などの遠紫外線を透過する材料を用い、Ｆ２レーザやＸ線を用いる場合は反射屈折系または屈折系の光学系にし（マスクＭも反射型タイプのものを用いる）、また電子線を用いる場合には光学系として電子レンズ及び偏向器からなる電子光学系を用いればよい。なお、電子線が通過する光路は、真空状態にすることはいうまでもない。また、投影光学系ＰＬを用いることなく、マスクＭと基板Ｐとを密接させてマスクＭのパターンを露光するプロキシミティ露光装置にも適用可能である。
【００６４】
上記実施形態のように基板ステージＰＳＴやマスクステージＭＳＴにリニアモータを用いる場合においてエアベアリングを用いたエア浮上型に限られず、ローレンツ力又はリアクタンス力を用いた磁気浮上型を用いてもよい。また、各ステージＰＳＴ、ＭＳＴは、ガイドに沿って移動するタイプでもよく、ガイドを設けないガイドレスタイプであってもよい。
【００６５】
基板ステージＰＳＴの移動により発生する反力は、特開平８−１６６４７５号公報に記載されているように、フレーム部材を用いて機械的に床（大地）に逃がしてもよい。また、マスクステージＭＳＴの移動により発生する反力は、特開平８−３３０２２４号公報に記載されているように、フレーム部材を用いて機械的に床（大地）に逃がしてもよい。
【００６６】
以上のように、本願実施形態の露光装置ＥＸは、本願特許請求の範囲に挙げられた各構成要素を含む各種サブシステムを、所定の機械的精度、電気的精度、光学的精度を保つように、組み立てることで製造される。これら各種精度を確保するために、この組み立ての前後には、各種光学系については光学的精度を達成するための調整、各種機械系については機械的精度を達成するための調整、各種電気系については電気的精度を達成するための調整が行われる。各種サブシステムから露光装置への組み立て工程は、各種サブシステム相互の、機械的接続、電気回路の配線接続、気圧回路の配管接続等が含まれる。この各種サブシステムから露光装置への組み立て工程の前に、各サブシステム個々の組み立て工程があることはいうまでもない。各種サブシステムの露光装置への組み立て工程が終了したら、総合調整が行われ、露光装置全体としての各種精度が確保される。なお、露光装置の製造は温度及びクリーン度等が管理されたクリーンルームで行うことが望ましい。
【００６７】
半導体デバイスは、図１１に示すように、デバイスの機能・性能設計を行うステップ２０１、この設計ステップに基づいたマスク（レチクル）を製作するステップ２０２、デバイスの基材である基板を製造するステップ２０３、前述した実施形態の露光装置ＥＸによりマスクのパターンを基板に露光する基板処理ステップ２０４、デバイス組み立てステップ（ダイシング工程、ボンディング工程、パッケージ工程を含む）２０５、検査ステップ２０６等を経て製造される。
【００６８】
【発明の効果】
以上説明したように、コイルを支持する支持部に、ハウジング部の内壁と接する凸部を設けたことにより、この凸部がハウジング部の補強部材となり、ハウジング部内部に多くの冷媒を供給してもハウジング部の変形を抑えることができる。したがって、ハウジング部の変形を抑えつつリニアモータからの発熱の周囲への伝達を抑えることができるので、高い位置決め精度を有するステージ装置、及び高い露光精度を有する露光装置が提供される。
【図面の簡単な説明】
【図１】本発明のステージ装置を備えた露光装置の一実施形態を示す概略構成図である。
【図２】本発明のリニアモータを備えたマスクステージを示す概略斜視図である。
【図３】本発明のリニアモータを備えた基板ステージを示す概略斜視図である。
【図４】本発明のリニアモータの一実施形態を示す概略斜視図である。
【図５】図４のＡ−Ａ断面矢視図である。
【図６】リニアモータのうちコイル近傍を示す斜視図である。
【図７】リニアモータが組み立てられる様子を示す図である。
【図８】（ａ）はステージを第１の方向に駆動するリニアモータを示す図であり、（ｂ）はステージを第２の方向に移動するリニアモータを示す図である。
【図９】本発明のリニアモータの他の実施例を示す図である。
【図１０】本発明のリニアモータの他の実施例を示す図である。
【図１１】半導体デバイスの製造工程の一例を示すフローチャート図である。
【符号の説明】
１　　ステージ装置
２　　ステージ装置
２０　　リニアモータ（駆動装置）
２１　　固定子
２２　　可動子
３０　　リニアモータ（駆動装置、第２駆動部）
３１　　固定子
３２　　可動子
４０　　リニアモータ（駆動装置、第１駆動部）
４１　　固定子
４２　　可動子
６０　　ハウジング部
６１　　枠部材
６２　　板部材
６８　　内壁
７０　　コイル
７１　　空芯部
７２　　支持部
７４　　凸部
７５　　ねじ（固定部材）
９０　　ヨーク部
９１　　磁石
ＭＳＴ　　マスクステージ（ステージ装置、可動部）
ＰＳＴ　　基板ステージ（ステージ装置、可動部）
ＥＸ　　露光装置
【図１】
2004015908.tif 000003
【図２】
2004015908.tif 000004
【図３】
2004015908.tif 000005
【図４】
2004015908.tif 000006
【図５】
2004015908.tif 000007
【図６】
2004015908.tif 000008
【図７】
2004015908.tif 000009
【図８】
2004015908.tif 000010
【図９】
2004015908.tif 000011
【図１０】
2004015908.tif 000012
【図１１】
2004015908.tif 000013